(57)【要約】      （修正有）【課題】レーザ印刷された写真画像を有するガラス製品、及び印刷方法の提供。【解決手段】写真画像のガラス製品レーザ印刷方法（三次元（３Ｄ）またはエンボス効果を有する）１に関し、該方法は、前記ガラス製品を酸またはアルカリ溶液で前処理するステップ１２と、前記製品に組成物層を被覆するステップ１４と、室温または環境温で前記製品表面をエージングするステップと、少なくとも一つのレーザ印刷手段を用いて前記ガラス製品表面にレーザ印刷するステップ１６と、加熱工程によって前記ガラス製品表面を表面仕上げするステップ１８と、を備えるガラス製品印刷方法。あるいは、前記表面仕上げは、紫外光照射、流体での洗浄、ラミネーション、またはそれらの組み合わせによって達成するガラス製品レーザ印刷方法。【選択図】図１
2019214510.tif 000002
【特許請求の範囲】
【請求項１】
レーザ印刷された写真画像のガラス製品であって、
ガラス製品と、
前記表面に設置された組成物の層と、
前記組成物の層の上に設置された写真画像と、
を有し、
前記写真画像は、演算手段から画像データファイルまたはフォーマットを受信できるレーザー印刷手段により、前記組成物の層の上に設置され、
前記レーザ印刷手段は、写真画像を印刷することができる、レーザ印刷された写真画像のガラス製品。
【請求項２】
前記写真画像は、３０００画素／インチを超える解像度を有する、請求項１に記載のレーザ印刷された写真画像のガラス製品。
【請求項３】
前記写真画像は、三次元またはエンボスカラー画像である、請求項１に記載のレーザ印刷された写真画像のガラス製品。
【発明の詳細な説明】
【技術分野】
【０００１】
本発明は、概して写真画像のガラス製品レーザ印刷（三次元（３Ｄ）またはエンボス効果を有する）方法に関し、該方法は、前記ガラス製品を酸またはアルカリ溶液で前処理するステップと、前記製品に組成物層を被覆するステップと、室温または環境温で前記製品表面をエージングするステップと、少なくとも一つのレーザ印刷手段を用いて前記ガラス製品表面にレーザ印刷するステップと、加熱工程によって前記ガラス製品表面を表面仕上げするステップと、を備える。あるいは、前記表面仕上げは、紫外光照射、流体での洗浄、ラミネーション、またはそれらの組み合わせによって達成することができる。
【背景技術】
【０００２】
レーザ印刷は、ＣＭＹＫ（シアン、マゼンタ、イエロー、キー／ブラック）カラートナーを帯電製品表面に転写する広く知られた手法であり、帯電製品表面は一連のレーザ照射によって達成される。このような手法は、紙、プラスチック、または金属などの繊維質物質に限定される。ガラスへの直接カラー印刷は、シルクスクリーン印刷によってのみ実現することができる。カラー印刷は、数種のカラー出力に限定され、鮮明な写真画像を表出することができない。
【０００３】
その他の既知の方法は、特開２００９−０８３２８１号公報（ＪＰ２００９０８３２８１（Ａ））および中国特許出願公開第１０３０４２８７５号（ＣＮ１０３０４２８７５Ａ）に開示されるような、水圧転写印刷紙を用いる水圧転写または水圧印刷である。しかし、このような印刷は、多数の工程ステップを必要とし、写真画像の色と鮮明度をもたらすことができない。また、前記手法を用いて印刷された表面は、３Ｄまたはエンボス印刷画像を生成することのできる本発明と異なり、円滑で艶がある。
【０００４】
したがって、本発明は、ガラス製品表面への直接レーザ照射およびカラー印刷によって、従来のガラス製品印刷における上述の欠点を緩和する解決策を提供することができる。
【先行技術文献】
【特許文献】
【０００５】
【特許文献１】特開２００９−０８３２８１号公報
【特許文献２】中国特許出願公開第１０３０４２８７５号公報
【発明の概要】
【０００６】
したがって、本発明の第１の目的は、写真画像および刻印をガラス製品表面に直接レーザ印刷する方法を提供することである。
【０００７】
本発明の別の目的は、モノクロまたはカラー画像、あるいは刻印をガラス製品に印刷する方法を提供することである。
【０００８】
本発明の別の目的は、水圧印刷やシルクスクリーン印刷などの間接的な従来のガラス製品への印刷と置き換えることである。
【０００９】
本発明の別の目的は、ガラス製品表面にレーザ印刷を施すことである。
【００１０】
本発明の別の目的は、３０００画素／インチ（１１８画素／ｍｍ）超の画像解像度でガラス製品にレーザ印刷を行うことである。
【００１１】
本発明の別の目的は、人工灯、日光、アルコールなどの炭化水素、香水などの芳香族炭化水素、水に強いレーザ印刷を前記ガラス製品表面に提供することである。
【００１２】
本発明の好適な態様によると、
写真画像のガラス製品レーザ印刷方法（１）であって、
ｉ．処理済みのガラス製品表面に組成物層を被覆するステップ（１４）と、
ｉｉ．室温または環境温でステップ（１４）から前記ガラス製品表面をエージングするステップと、
ｉｉｉ．少なくとも一つのレーザ印刷手段を用いて前記ガラス製品表面をレーザ印刷するステップ（１６）と、
ｉｖ．加熱工程によって前記ガラス製品表面を表面仕上げするステップ（１８）と、
を備え、
前記組成物が、インク／カラー顔料、希釈液、触媒、湿潤剤、溶剤、結合剤、流動化剤、脱泡剤、樹脂、またはそれらの組み合わせを含み、
ステップ（１８）において、前記ガラス製品表面仕上げが、紫外光照射、流体での洗浄、ラミネーション、またはそれらの組み合わせをさらに含む、写真画像のガラス製品レーザ印刷方法（１）である。
【００１３】
本発明の好適な実施形態によると、
写真画像のガラス製品レーザ印刷物（２）であって、
ガラス製品（２０）と、
前記ガラス製品（２０）の表面に塗布される組成物層（２４）と、
を備え、
前記組成物層（２４）が、演算手段（２８）から画像データファイルまたはフォーマットを受信することができるレーザ印刷手段（２６）によって塗布され、
前記レーザ印刷手段（２６）が写真画像を印刷することができる、写真画像のガラス製品レーザ印刷物（２）である。
【図面の簡単な説明】
【００１４】
本発明の他の側面およびそれらの利点は、添付図面と併せて詳細な説明を検討すること
で認識されるであろう。
【００１５】
【図１】図１は、写真画像をガラス製品にレーザ印刷する例示的な方法を示す。
【図２】図２は、本発明の側面図である。
【発明を実施するための形態】
【００１６】
以下の詳細な説明では、本発明を完全に理解してもらうために、具体的な細部を多数記載する。しかしながら、当業者であれば、これらの具体的な細部がなくても本発明を実行できると理解するであろう。他の例では、本発明を曖昧にしないように、周知の方法、手順、および／または構成要素を詳細に説明しない。
【００１７】
本発明は、等縮尺ではない添付図面を参照して例示する以下の本発明の実施形態からより明確に理解されるであろう。
【００１８】
図１は、例示的な写真画像のガラス製品レーザ印刷方法（１）を示し、該方法は、処理済みのガラス製品表面に組成物層を被覆するステップ（１４）と、室温または環境温でステップ（１４）から前記ガラス製品表面をエージングさせるステップと、少なくとも一つのレーザ印刷手段を用いて前記ガラス製品表面にレーザ印刷することと、加熱工程によって前記ガラス製品表面を表面仕上げするステップ（１８）と、を備える。
【００１９】
前記組成物は、インク／カラー顔料、希釈液、触媒、湿潤剤、溶剤、結合剤、流動化剤、脱泡剤、樹脂、またはそれらの組み合わせを含み、前記ガラス製品表面仕上げが、紫外光照射、流体での洗浄、ラミネーション、またはそれらの組み合わせをさらに含む。
【００２０】
あるいは、前記ガラス製品表面は、酸またはアルカリ溶液で前処理される（１２）。表面は、ステップ（１４）に進む前に乾燥させられる。
【００２１】
図２は、本発明の側面図である。写真画像のガラス製品レーザ印刷物（２）は、ガラス製品（２０）と、前記製品（２０）に塗布される組成物層（２４）と、を含み、少なくとも一つのレーザ印刷手段（２６）が前記層（２４）と当接してカラートナー転写を可能にする。前記レーザ印刷手段（２６）は、点線矢印によって示されるように、演算手段（２８）から写真画像データファイルまたはフォーマット、たとえば、ＪＰＧ、ＧＩＦ、ＰＮＧ、ＢＩＴＭＡＰ（ＢＭＰ）、ＴＩＦＦ、ＳＶＧなどのラスタおよび／またはベクトルフォーマットを受信して、前記組成物層（２４）と当接してカラートナー転写を可能にする。あるいは、酸またはアルカリ溶液層（２２）が、前記ガラス製品（２０）の表面と組成物層（２４）との間に配置される。
【００２２】
前記レーザ印刷は好ましくは、ＣＹＭＫ（シアン、イエロー、マゼンタ、キー／ブラック）カラートナーを含むカラートナー式である。しかしながら、前記ガラス製品表面にモノクロまたはカラー印刷、またはそれらの組み合わせを生成することができる。好ましくは、ガラス製品は、平坦面、曲面、もしくは凹凸面を有する瓶、ジャー、容器などである。レーザ印刷手段は、好ましくは３０００画素／インチ（１１８画素／ｍｍ）超の解像度で画像を印刷することができる。しかし、明瞭な画像を表すことができる限り、他の画像解像度も利用可能である。
【００２３】
本発明によって得られる成果と従来技術を超える利点を表す好適な実施形態と考えられるものに関して本発明を図示および記載したが、本発明はこれらの具体的な実施形態に限定されない。よって、本明細書に図示および記載した形式は単に例示であると解釈すべきであり、添付の請求項に説明される本発明の範囲を逸脱することなく、他の実施形態を選択することができる。
【図１】
2019214510.tif 000003
【図２】
2019214510.tif 000004